(57)【要約】【課題】本発明は周辺機器の待機電力遮断機能を持つコンピュータに関し、コンピュータのオフ時に、コンピュータの待機電流及び周辺機器の待機電流を全て遮断して、電力の損失を防止する。【解決手段】本発明はコンピュータにおいて、パワーサプライ230に電源遮断スイッチ部110と周辺機器電源ソケット部120を備え、パワースイッチ240からメインボード210へ入力される操作信号を感知して電源遮断スイッチ部110を制御して、パワーサプライ230への電源供給が制御されるようにし、パワースイッチ240からメインボード210へ入力される操作信号が遅延入力されるようにするパワー操作感知部131を設けている。  パワースイッチの操作を感知するパワー操作感知部によって、周辺機器及びパワーサプライへの電源を遮断する電源遮断スイッチ部を備えていて、コンピュータのオフ時にコンピュータや周辺機器への電力供給を遮断することで、待機電力による電力損失を防止する。【選択図】図１
2011134300.tif 000002
【特許請求の範囲】
【請求項１】
ＣＰＵが搭載されているメインボード（２１０）と運用プログラム及びデータが記録されるハードドライブ（２２０）と、
上記メインボード（２１０）とハードドライブ（２２０）へ電源が供給されるように、電圧トランス部（２３１）と整流部（２３２）とで構成されているパワーサプライ（２３０）と、
上記メインボード（２１０）にコンピュータのオン・オフの操作信号を入力するパワースイッチ（２４０）及び、
ボックス形になっていて上記メインボード（２１０）とハードドライブ（２２０）及びパワーサプライ（２３０）が装着されるコンピュータ本体（１０）とで構成されるコンピュータにおいて、
コンピュータ本体（１０）の後面に露出して備えられるパワーサプライ（２３０）に電源遮断スイッチ部（１１０）を形成し、
上記電源遮断スイッチ部（１１０）から分岐して周辺機器に電源を供給するようにする、周辺機器の電源ソケット部（１２０）を備え、
上記周辺機器の電源ソケット部（１２０）は、周辺機器へ電源を供給する周辺機器のコンセント部（４００）のプラグを差し込んで結合することができるように、コンピュータ本体（１０）の後面に露出して備え、
パワースイッチ（２４０）からメインボード（２１０）へ入力される操作信号を感知して、電源遮断スイッチ部（１１０）を制御してパワーサプライ（２３０）への電源供給を制御するようにし、
パワースイッチ（２４０）からメインボード（２１０）へ入力される操作信号が遅延入力されるようにする、パワー操作感知部（１３１）を備えて構成することを特徴とする
周辺機器待機電源の遮断機能を持つコンピュータ。
【請求項２】
コンピュータ本体（１０）の前面にメインボード（２１０）へ節電シグナルを入力して、ＣＰＵ（２１１）とハードドライブ（２２０）及びメインボード（２１０）が最小動作の電力だけを消費して節電待機状態を維持するようにする節電ボタン（１４１）を備え、
上記節電ボタン（１４１）とメインボード（２１０）の間に設けられていて節電信号を感知して、電源遮断スイッチ部（１１０）から周辺機器の電源ソケット部（１２０）への電源供給を遮断するように制御する節電操作感知部（１４０）を備え、
上記コンピュータ本体（１０）の前面に、使用者がパワーサプライ（２３０）の電源供給を容易に遮断するようにするパワーサプライスイッチ（１６０）を備えていることを特徴とする
請求項１に記載の周辺機器待機電源の遮断機能を持つコンピュータ。
【請求項３】
パワーサプライ（２３０）の電力消費量を感知するパワー電力感知器（１５１）を備え、
上記パワー電力感知器（１５１）を通して感知しているパワー電力がコンピュータの動作状態なら、電源遮断スイッチ部（１１０）の電源スイッチング制御部（１１１）にコンピュータ動作信号を入力して、上記電源スイッチング制御部（１１１）が周辺機器の電源ソケット部（１２０）へ電源が供給される状態を維持するようにし、
節電動作状態なら、電源遮断スイッチ部（１１０）の電源スイッチング制御部（１１１）へ節電動作信号を入力して、上記電源スイッチング制御部（１１１）が周辺機器の電源ソケット部（１２０）への電源供給が遮断されている状態を維持するようにし、
コンピュータがオフ状態なら、電源遮断スイッチ部（１１０）の電源スイッチング制御部（１１１）にコンピュータオフ信号を入力して、上記電源スイッチング制御部（１１１）がパワーサプライ（２３０）と周辺機器の電源ソケット部（１２０）とへの電源供給を全て遮断するようにするパワー電力感知制御部（１５２）が備えられていることを特徴とする
請求項２に記載の周辺機器待機電源の遮断機能を持つコンピュータ。
【請求項４】
上記周辺機器の電源ソケット部（１２０）に差し込まれる周辺機器のコンセント部（４００）に差し込んでいる周辺機器の使用電力が許容電力を超えたら、使用者にそのことを認知させて周辺機器の動作を制御するように、周辺機器の電源ソケット部（１２０）の使用電力を感知して、許容電力以上の時は許容電力超過信号を出力する、電源ソケット部の電力感知器（１２１）と、
上記電源ソケット部の電力感知器（１２１）によって許容電力超過信号が出力されたら使用者に警報音で知らせる、周辺機器の電力超過警報機（１２２）とを備えていることを特徴とする
請求項３に記載の周辺機器待機電源の遮断機能を持つコンピュータ。
【請求項５】
コンピュータ本体（１０）の前面に、使用者がコンピュータの使用電力量を確認することができるように、パワー電力感知制御部（１５２）と、電源ソケット部の電力感知器（１２１）を通してコンピュータ本体（１０）の電力使用量と周辺機器の電力使用量が表示されるようにしている電力量ディスプレー（１５３）を備えていることを特徴とする
請求項４に記載の周辺機器待機電源の遮断機能を持つコンピュータ。
【請求項６】
上記電源遮断スイッチ部（１１０）はパワーサプライ（２３０）及び周辺機器の電源ソケット部（１２０）への電源供給をスイッチングするスイッチング素子部と、パワー操作感知部（１３１）と節電操作感知部（１４２）から入力される信号によって上記スイッチング素子部の動作を制御する電源スイッチング制御部（１１１）とで構成され、
上記スイッチング素子部は電源ケーブルを通して供給される電源を遮断するメインスイッチ素子（１１２ａ）と、上記メインスイッチ素子（１１２ａ）で周辺機器の電源ソケット部（１２０）への電源供給をスイッチングする周辺機器スイッチ素子（１１２ｂ）とで構成されていることと、
パワーサプライ（２３０）への電源供給をスイッチングするパワーサプライスイッチ素子（１１２ｃ）と周辺機器の電源ソケット部（１２０）への電源供給をスイッチングする周辺機器スイッチ素子（１１２ｂ）とで独立構成されていることのうち、何れか一つを選んで構成していることを特徴とする
請求項１に記載の周辺機器待機電源の遮断機能を持つコンピュータ。
【発明の詳細な説明】
【技術分野】
【０００１】
本発明は周辺機器の待機電力遮断機能を持つコンピュータに関するもので、より詳しく説明すると、コンピュータにおいてパワーサプライに電力遮断部を形成し、パワーサプライの胴体に周辺機器コンセントが結合される周辺機器電源ソケット部を設け、パワースイッチの操作信号を感知して上記電力遮断部を駆動してパワーサプライへの電力供給を制御するパワー操作感知部を備え、コンピュータのオフ時の周辺機器とパワーサプライへの電力供給を完全に遮断して、コンピュータの待機電流及び周辺機器の待機電流を全て遮断して、電力の損失を防止することを目的とする。
【背景技術】
【０００２】
一般的にコンピュータは、外部から供給されるＡＣ電流をＤＣ電流に整流して供給するパワーサプライが備えられている。  
上記パワーサプライは交流電力が閉回路のコイルにいつも供給されるように構成されているので、コンピュータを切っても周辺機器の待機電力を消費する。
【０００３】
以上のようにパワーサプライが周辺機器の待機電力を消費するので、コンピュータのオフ時はパワーサプライへの電力供給を遮断するように構成しているものが開発・使用されている。
【０００４】
しかし、上記のようにパワーサプライへの電流供給を遮断して、周辺機器の待機電力の損失を防止するようにした従来の節電装置は、単にコンピュータパワーサプライへの電源供給を遮断するたけで、他の周辺機器への電源供給は遮断できず、周辺機器による待機電力の損失が発生する問題があった。
【発明の開示】
【発明が解決しようとする課題】
【０００５】
本発明は、上述するように従来のコンピュータ節電装置がコンピュータへ供給する電源だけを遮断することにより、コンピュータ周辺機器には電力が流され、電力損失が発生する問題を解決するようにしたのである。
【課題を解決するための手段】
【０００６】
つまり、本発明はコンピュータにおいて、パワーサプライに電源遮断スイッチ部を形成し、パワーサプライの胴体に周辺機器コンセントが結合される周辺機器電源ソケット部を備え、パワースイッチからの操作信号を感知して、上記電源遮断スイッチ部を駆動し、パワーサプライへの電力供給を制御するパワー操作感知部を備えているのである。
【発明の効果】
【０００７】
それで、本発明はパワースイッチの操作を感知するパワー操作感知部によって、周辺機器及びパワーサプライへの電流を遮断する電源遮断スイッチ部を具備することで、コンピュータのオフ時に、コンピュータや周辺機器への電力供給を遮断することにより、待機電力による損失を防止するのである。
【図面の簡単な説明】
【０００８】
【図１】本発明による一実施例を示す斜視図である。
【図２】本発明による一実施例を示す背面斜視図である。
【図３】本発明による主要ブリック構成図である。
【図４】本発明による他の実施例であって、節電ボタンを備えていることを示す主要ブリック構成図である。
【図５】本発明によるまた他の実施例で、コンピュータ本体の前面にパワーサプライスイッチを備えていることを示す斜視図である。
【図６】図５による主要ブロック構成図である。
【図７】本発明によるもう一つの実施例で、パワー電力感知制御部を備えていることを示す主要ブロック構成図である。
【図８】本発明によるもう一つの実施例で、電源ソケット部の電力感知器を備えていることを示す主要ブロック構成図である。
【図９】本発明によるもう一つの実施例で、コンピュータ本体の前面に電力量ディスプレーを備えていることを示す主要ブロック構成図である。
【図１０】図９による主要ブロック構成図である。
【図１１】本発明による電源遮断スイッチ部の一実施例を示す主要ブロック構成図である。
【図１２】本発明による電源遮断スイッチ部の他の実施例を示す主要ブロック構成図である。
【発明を実施するための形態】
【０００９】
以下、添付の図面によって詳しく説明する。  
本発明はコンピュータによる待機電力を最小化して、電力の損失の最小化するようにしたものである。
【００１０】
つまり、本発明は図１と図２及び図３に示しているように、ＣＰＵが搭載されているメインボード２１０と運用プログラム及びデータが記録されるハードドライブ２２０と、上記メインボード２１０と、ハードドライブ２２０へ電源が供給されるように、電圧トランス部２３１と整流部２３２とで構成されているパワーサプライ２３０と、上記メインボード２１０にコンピュータのオン・オフの操作信号を入力するパワースイッチ２４０及び、ボックス形になっていて上記メインボード２１０とハードドライブ２２０及びパワーサプライ２３０が装着されるコンピュータ本体１０とで構成されるコンピュータにおいて、コンピュータ本体１０の後面に露出して備えられるパワーサプライ２３０に電源遮断スイッチ部１１０を形成し、上記電源遮断スイッチ部１１０から分岐して周辺機器に電源を供給するようにする、周辺機器の電源ソケット部１２０を備え、上記周辺機器の電源ソケット部１２０は、周辺機器へ電源を供給する周辺機器のコンセント部４００のプラグを差し込んで結合することができるように、コンピュータ本体１０の後面に露出して備え、パワースイッチ２４０からメインボード２１０へ入力される操作信号を感知して、電源遮断スイッチ部１１０を制御してパワーサプライ２３０への電源供給を制御するようにし、パワースイッチ２４０からメインボード２１０へ入力される操作信号が遅延入力されるようにする、パワー操作感知部１３１を備えて構成するものである。
【００１１】
そして、図４に示すように、コンピュータ本体１０の前面にメインボード２１０へ節電シグナルを入力して、ＣＰＵ２１１とハードドライブ２２０及びメインボード２１０が最小動作の電力だけを消費して節電待機状態を維持するようにする節電ボタン１４１を備え、上記節電ボタン１４１とメインボード２１０の間に設けられていて節電信号を感知して、電源遮断スイッチ部１１０から周辺機器の電源ソケット部１２０への電源供給を遮断するように制御する節電操作感知部１４２を設けて実施することができる。
【００１２】
また、図５と図６に示すように、上記コンピュータ本体１０の前面に、使用者がパワーサプライ２３０の電源供給を容易に遮断するようにするパワーサプライスイッチ１６０を備えて構成しているもので、普通パワーサプライスイッチはコンピュータ本体１０の後面に備えていて、あまり見えないし、操作しにくいからよく使われてない。
【００１３】
また、本発明の実施において、図７に示しているように、パワーサプライ２３０の電力消費量を感知するパワー電力感知器１５１を備え、上記パワー電力感知器１５１を通して感知しているパワー電力がコンピュータの動作状態なら、電源遮断スイッチ部１１０の電源スイッチング制御部１１１にコンピュータ動作信号を入力して、上記電源スイッチング制御部１１１が周辺機器の電源ソケット部１２０へ電源が供給される状態を維持するようにし、節電動作状態なら、電源遮断スイッチ部１１０の電源スイッチング制御部１１１へ節電動作信号を入力して、上記電源スイッチング制御部１１１が周辺機器の電源ソケット部１２０への電源供給が遮断されている状態を維持するようにし、コンピュータがオフ状態なら、電源遮断スイッチ部１１０の電源スイッチング制御部１１１にコンピュータオフ信号を入力して、上記電源スイッチング制御部１１１がパワーサプライ２３０と周辺機器の電源ソケット部１２０とへの電源供給を全て遮断するようにするパワー電力感知制御部１５２が備えて構成されているのである。
【００１４】
また、上記周辺機器の電源ソケット部１２０に差し込まれる周辺機器のコンセント部４００に差し込んでいる周辺機器の使用電力が許容電力を超えたら、使用者にそのことを認知させて周辺機器の動作を制御するように、周辺機器の電源ソケット部１２０の使用電力を感知して、許容電力以上の時は許容電力超過信号を出力する電源ソケット部の電力感知器１２１と、上記電源ソケット部の電力感知器１２１によって許容電力超過信号が出力されたら使用者に警報音で知らせる、周辺機器の電力超過警報機１２２とを備えて実施することができる。
【００１５】
一方、本発明の実施において、図９と図１０に示しているように、コンピュータ本体１０の前面に、使用者がコンピュータの使用電力量を確認することができるように、パワー電力感知制御部１５２と、電源ソケット部の電力感知器１２１を通してコンピュータ本体１０の電力使用量と周辺機器の電力使用量が表示されるようにしている電力量ディスプレー１５３を備えて実施することができる。
【００１６】
上記電力量ディスプレー１５３はコンピュータ本体１０の電力使用量と周辺機器の電力量を各々順次表示したり、合算表示を選んだり、または周期的に繰り返してディスプレーすることができる。
【００１７】
また、上記電源遮断スイッチ部１１０は、図１１と図１２に示しているように、パワーサプライ２３０及び周辺機器の電源ソケット部１２０への電源供給をスイッチングするスイッチング素子部と、パワー操作感知部１３１と節電操作感知部１４２から入力される信号によって上記スイッチング素子部の動作を制御する電源スイッチング制御部１１１とで構成されて実施されるのである。
【００１８】
上記スイッチング素子部は、図１１に示しているように、電源ケーブルを通して供給される電源を遮断するメインスイッチ素子１１２ａと、上記メインスイッチ素子１１２ａで周辺機器の電源ソケット部１２０への電源供給をスイッチングする周辺機器スイッチ素子１１２ｂとで構成されていることと、図１２に示しているようにパワーサプライ２３０への電源供給をスイッチングするパワーサプライスイッチ素子１１２ｃと周辺機器の電源ソケット部１２０への電源供給をスイッチングする周辺機器スイッチ素子１１２ｂとで独立構成されていることの中、何れか一つを選んで構成して実施することができる。
【００１９】
以下、本発明の動作過程について、詳しく説明する。  
上述のように、コンピュータにおいて、コンピュータ本体１０の後面に露出具備されるパワーサプライ２３０に電源遮断スイッチ部１１０を形成し、上記電源遮断スイッチ部１１０から分岐して、周辺機器へ電力を供給するようにしている、周辺機器の電源ソケット部１２０を備え、上記周辺機器の電源ソケット部１２０は周辺機器に電源を供給する周辺機器のコンセント部４００のプラグを差し込んで結合することができるように、コンピュータ本体１０の後面に露出具備し、パワースイッチ２４０からメインボード２１０へ入力される操作信号を感知して、電源遮断スイッチ部１１０を制御して、パワーサプライ２３０への電力供給が制御できるようにし、パワースイッチ２４０からメインボード２１０へ入力される操作信号が遅延入力されるようにするパワー操作感知部１３１を備えて構成している本発明を適用して実施したら、コンピュータの動作において、上記コンピュータがオン動作する以前には、コンピュータのパワーサプライ２３０とモニター３１０、プリンター３２０及びスピーカー３３０などの周辺機器へ電力供給されておらず、コンピュータと周辺機器の待機電力による電力消費が防止される。
【００２０】
そして、本発明が適用されているコンピュータを動作するため、パワースイッチ２３０を操作したら、上記パワースイッチ２３０の操作をパワー操作感知部１３１が感知して、電源遮断スイッチ部１１０の電源スイッチング制御部１１１に入力し、上記電源スイッチング制御部１１１がスイッチング素子部を制御して、パワーサプライ２３０に電力が供給されることと共に、メインボード２１０へのパワーオン信号供給を電源スイッチング制御部１１１の制御に従ってパワーサプライ２３０へ電力が供給されるまでに、遅延供給されるようにすることで、コンピュータがオン動作することである。
【００２１】
また、使用者が節電ボタン１４１を操作したら、使用者の節電ボタン１４１の操作に従って、節電信号を節電操作感知部１４２が感知して、電源遮断スイッチ部１１０の電源スイッチング制御部１１１に節電信号を入力して、上記電源スイッチング制御部１１１がスイッチング素子部を制御して、周辺機器が繋がっている周辺機器の電源ソケット部１２０への電力供給が遮断されるようにして、節電過程において、周辺機器への無駄の電力が遮断されるのである。
【００２２】
また、コンピュータ本体１０の前面にパワーサプライスイッチ１６０を備えて実施したら、コンピュータを使ってない時は、コンピュータ本体１０前面の露出パワーサプライスイッチ１６０を使用者が操作して、コンピュータへ供給される電力を全て遮断することができるのである。
【００２３】
一方、本発明の他の実施例のように、電源遮断スイッチ部１１０とパワーサプライ２３０との間にパワー電力感知器１５１を備えて実施したら、コンピュータ運用プログラムによるコンピュータ終了でパワーサプライ２３０へ供給される電力消費が周辺機器待機電力状態の電力消費である場合、これを上記パワー電力感知器１５１が計測してパワー電力感知制御部１５２に入力するようにしたら、上記パワー電力感知制御部１５２で感知する電力量によって、コンピュータが終了している待機電力状態の電力量である場合、電源遮断スイッチ部１１０の電源スイッチング制御部１１１がスイッチング素子部を制御して、パワーサプライ２３０と周辺機器の電源ソケット部１２０への電力供給を遮断するので、コンピュータがプログラムによって終了した場合も周辺機器の待機電力が遮断されるのである。
【００２４】
また、使用者が所定時間コンピュータを使わなくてプログラムによる節電状態になっている場合も、上記パワー電力感知制御部１５２がパワー電力感知部１５１を通して感知し、電源遮断スイッチ部１１０の電源スイッチング制御部１１１に入力することで、上記電源スイッチング制御部１１１がスイッチング素子部を制御して周辺機器コンセント部４００への電力供給を遮断するので、コンピュータがプログラムによる節電状態である場合、周辺機器への無駄な電力供給を遮断するのである。
【００２５】
一方、コンピュータ本体１０前面に電力量ディスプレー１５３を備えて実施したら、使用者がコンピュータを使用する時、自分の使用消費量を確認することが出来て、不要なコンピュータのオン動作で電力が消費されることを防止することができる。
【産業上利用の可能性】
【００２６】
以上のように、本発明はパワースイッチの操作に従って、それを感知するパワー操作感知部によって、周辺機器及びパワーサプライへの電力供給を遮断する電源遮断スイッチ部を備えることにより、コンピュータのオフ時に、コンピュータ及び周辺機器への電力供給を遮断することで、待機電力による電力損失を防止するのである。
【符号の説明】
【００２７】
１０：コンピュータ本体
１１０：電源遮断スイッチ部
１１１：電源スイッチング制御部
１１２ａ：メインスイッチ素子
１１２ｂ：周辺機器スイッチ素子
１１２ｃ：パワーサプライスイッチ素子
１２０：周辺機器電源ソケット部
１２１：電源ソケット部電力感知器
１２２：周辺機器電力超過警報機
１３１：パワー操作感知部
１４１：節電ボタン
１４２：節電操作感知部
１５１：パワー電力感知器
１５２：パワー電力感知制御部
１５３：電力量ディスプレー
１６０：パワーサプライスイッチ
２１０：メインボード
２１１：ＣＰＵ
２２０：ハードドライブ
２３０：パワーサプライ
２３１：電圧トランス部
２３２：整流部
２４０：パワースイッチ
２６０：電源プラグ
３１０：モニター
３２０：プリンター
３３０：スピーカー
４００：周辺機器コンセント部
【図１】
2011134300.tif 000003
【図２】
2011134300.tif 000004
【図３】
2011134300.tif 000005
【図４】
2011134300.tif 000006
【図５】
2011134300.tif 000007
【図６】
2011134300.tif 000008
【図７】
2011134300.tif 000009
【図８】
2011134300.tif 000010
【図９】
2011134300.tif 000011
【図１０】
2011134300.tif 000012
【図１１】
2011134300.tif 000013
【図１２】
2011134300.tif 000014